(57)【特許請求の範囲】
【請求項１】
貫通孔を持つ内容物を囲む空間を区画するコンテナ本体と、
前記コンテナ本体の支持パネルの内面に一端が固定してあり、複数の係合孔が軸方向に沿って所定間隔で形成された係合孔板が取り付けられている懸架アームと、
コンテナ内に収容すべき前記内容物に形成してある前記貫通孔に前記懸架アームを差し込み前記内容物を前記懸架アームで保持した状態で、前記懸架アームの任意の位置に着脱自在に取り付けられるストッパ部材であって、円筒状の胴体と、当該胴体の軸芯を略直角に横切るように回動自在に前記胴体に装着され上端にレバーが形成してある回動軸と、前記回動軸の下端に回動軸の軸芯に対して略直角に固定されるストッパーピンと、前記胴体内側の貫通孔に前記懸架アームを差し込む時に前記ストッパーピンが前記懸架アームに干渉しないように前記回動軸を上方に押し上げる前記回動軸に装着される螺旋状スプリングとを有し、前記胴体内側の貫通孔に前記懸架アームを差し込んで前記レバーを操作して前記回動軸を前記螺旋状スプリングのバネ力に抗して押し下げることにより前記ストッパーピンが前記懸架アームに取り付けた前記係合孔板の係合孔内に差し込まれて前記懸架アームに取り付けられるように構成されたストッパ部材と、
前記ストッパ部材と内容物との間に位置するように、前記内容物を前記懸架アームで保持した状態で懸架アームに貫通孔が挿入されて懸架アームの外周に着脱自在に装着される、懸架アームの軸方向に沿って長さの調節が可能なスペーサ部材と、
前記スペーサ部材と前記ストッパ部材との間に介在され、当該スペーサ部材とストッパ部材とを懸架アームに沿って軸方向に引き離す方向に弾性力を発生するスプリング部材とを有するコンテナ。
【請求項２】
前記スプリング部材は、リング状の波形スプリングである請求項１に記載のコンテナ。
【発明の詳細な説明】
【０００１】
【発明の属する技術分野】
本発明は、貫通孔を持つ内容物のためのコンテナに係り、さらに詳しくは、磁気テープ、オーディオテープなどのパンケーキ状ロール製品の保管および輸送に適したコンテナに関する。
【０００２】
【従来の技術】
磁気テープ、オーディオテープなどのパンケーキ状ロール製品の保管および輸送に用いられるコンテナとしては、次に示す構造のコンテナが、本出願人により提案されている。
【０００３】
本出願人により提案されているコンテナは、コンテナ本体の支持パネルの内面に一端が固定してある懸架アームと、コンテナ内に収容すべきロール製品に形成してある貫通孔に懸架アームを差し込み、ロール製品を懸架アームで保持した状態で、懸架アームの先端部に着脱自在に取り付けられるストッパ部材とを有する。
【０００４】
このコンテナによれば、磁気テープ、オーディオテープなどの高付加価値製品であるパンケーキ状ロール製品を宙づり状態でコンテナ内に収容することができ、製品の加工現場での取り扱い作業性および搬送性などが大幅に向上する。また、複数のロール製品をコンテナ内に収容することができ、コンテナ内部の防塵を図り、ロール製品毎に個別に包装する必要なく、包装コストを低減することができると共に、搬入先でのゴミの発生を大幅に削減することができる。
【０００５】
【発明が解決しようとする課題】
ところが、このようなコンテナでは、コンテナ内の懸架アームに対して、懸架アームの長さに対応する個数のロール製品を吊り下げ保持しない場合には、懸架アームの先端に着脱自在に取り付けられるストッパ部材とロール製品との間、およびロール製品間に隙間が生じることがあるという課題があった。このような隙間が生じると、コンテナの輸送中などに、ロール製品が懸架アームの軸方向に沿ってがたつき、ロール製品を構成するテープに弛みなどが生じ、商品としての価値が低下する。
【０００６】
本発明は、このような実状に鑑みてなされ、複数個のパンケーキ状ロール製品などの貫通孔を持つ内容物をコンテナ内の懸架アームに吊り下げ保持する場合に、コンテナが振動しても、内容物の個数や厚みによらず、がたつくことなく内容物を懸架アームに吊り下げ保持することができるコンテナを提供することを目的とする。
【０００７】
【課題を解決するための手段】
上記目的を達成するために、本発明に係る貫通孔を持つ内容物のためのコンテナは、貫通孔を持つ内容物を囲む空間を区画するコンテナ本体と、前記コンテナ本体の支持パネルの内面に一端が固定してある懸架アームと、コンテナ内に収容すべき前記内容物に形成してある前記貫通孔に前記懸架アームを差し込み、前記内容物を前記懸架アームで保持した状態で、前記懸架アームの任意の位置に着脱自在に取り付けられるストッパ部材と、前記ストッパ部材と内容物との間に位置する懸架アームの外周に着脱自在に装着され、懸架アームの軸方向に沿って長さの調節が可能なスペーサ部材とを有する。
【０００８】
前記懸架アームの内部には、懸架アームの軸方向に沿って所定間隔で、前記ストッパ部材を着脱自在に装着するための複数の係合孔が形成された係合孔板が取り付けられていることが好ましい。
【０００９】
前記スペーサ部材と内容物との間には、保護板が介在してあることが好ましい。前記スペーサ部材とストッパ部材との間には、これらスペーサ部材とストッパ部材とを懸架アームに沿って軸方向に引き離す方向に弾性力を発生するスプリング部材が介在してあることが好ましい。
【００１０】
前記スペーサ部材は、雄ねじが形成してある第１部材と、前記雄ねじにネジ結合する雌ネジが形成してある第２部材とを有し、これら第１部材と第２部材との軸方向ネジ結合量を調整することで、スペーサ部材の軸方向長さの調整が可能になっていることが好ましい。
【００１１】
【作用】
本発明に係る貫通孔を持つ内容物のためのコンテナでは、複数個の内容物の貫通孔に懸架アームを通し、これらの内容物を懸架アームで吊り下げ保持した状態で、懸架アームの先端部に、スペーサ部材とストッパ部材とを装着する。ストッパ部材は、懸架アームの先端部に形成してある係合孔などに対して着脱自在に装着される。スペーサ部材は、懸架アームの軸方向に沿って長さの調節が可能であり、複数の内容物の内の最も懸架アームの先端側に位置する内容物とストッパ部材との間に形成される隙間に相当する長さに調節される。その結果、これら内容物は、懸架アームに沿って、コンテナ本体の支持パネルの内壁面側に軸方向に安定して常時押圧され、コンテナが振動しても懸架アームに沿ってがたつくことがなくなる。したがって、内容物がパンケーキ状ロール製品などであっても、コンテナの輸送中に、ロール製品を構成するテープに弛みなどが生じることはなく、それらの製品価値が低下することはない。
【００１２】
【発明の実施の形態】
以下、本発明を、図面に示す実施形態に基づき説明する。
図１は本発明の１実施形態に係るコンテナの概略分解斜視図、図２は図１に示すコンテナの懸架アームの使用状態を示す分解斜視図である。
【００１３】
図１に示すように、本実施形態に係るコンテナ２は、コンテナ本体４を有する。コンテナ本体４は、支持パネル６と、この支持パネル６の両側端に連結してある一対の側方パネル８，８と、支持パネル６および側方パネル８，８の上端に連結してある上パネル１０と、支持パネル６および側方パネル８，８の下端に連結してある底パネル１２とを有し、内部に直方体形状の収容空間１４が形成してある。
【００１４】
支持パネル６は、後述するロール製品（貫通孔を持つ内容物）の荷重が加わる部分であるので、たとえばステンレスなどの金属パネルなどで構成してあることが好ましい。側方パネル８，８は、大きな荷重が作用しない部分なので、必ずしも金属パネルで構成する必要はなく、金属枠に透明シートを貼り付けたものでも良い。側方パネル８，８を、金属枠に透明シートを貼り付けた複合パネルで構成することで、コンテナの内部を容易に観察することができる。また、透明シートは、導電性シートであることが好ましく、静電気の帯電を防止できるものであることが好ましい。
【００１５】
上パネル１０および底パネル１２は、特に限定されず、金属パネル、プラスチックパネル、金属枠と樹脂シートとの複合パネルなどで構成される。
【００１６】
コンテナ本体４における支持パネル６と反対側には、収容空間１４からロール製品の出し入れを行うための開口部１６が形成してある。開口部１６には、図示省略してある蓋が取り付けられる。蓋としては、特に限定されないが、透明シートなどが例示され、たとえば開口部１６の上端に、開口部１６を開け閉め自在に、且つ内部を密封可能に取り付けられる。蓋を透明シートにすることで、コンテナ２の内部を容易に観察できる。なお、透明シートから成る蓋は、導電シートであることが好ましい。導電シートとすることで、静電気の帯電を防止することができるからである。
【００１７】
コンテナ本体４の底パネル１２の四隅部には、キャスター１８などのコンテナ移動手段が装着してあり、コンテナ２を自由に移動可能にしてある。
【００１８】
図１および２に示すように、コンテナ本体４の支持パネル６の内面には、上下方向に２列の合計６つの懸架アーム２０の基端が、固定用円盤２４を介して固定してある。懸架アーム２０は、軸方向に沿って上向きに形成してある切り欠き２２を有する円管で構成してあり、たとえばステンレスなどの金属で構成してある。切り欠き２２には、後述するストッパ部材３６の回動軸５２が挿通可能になっている。
【００１９】
図２に示すように、懸架アーム２０内部には、懸架アーム２０の軸方向に沿って所定間隔で、複数の係合孔２６が形成された係合孔板２５が取り付けてある。これらの係合孔２６のいずれか一つに、後述するストッパ部材３６の回動軸５２の下端に形成してあるストッパーピン５６が差し込み可能になっている。
【００２０】
懸架アーム２０は、ロール製品３０の貫通孔３１に通されることで、複数のロール製品３０を一本の懸架アーム２０上に吊り下げ保持可能になっている。複数のロール製品３０の貫通孔３１に懸架アーム２０を通した後、保護板３２の貫通孔３３に懸架アーム２０を通す。その後、スペーサ部材３４、スプリング部材３８およびストッパ部材３６の貫通孔５３、５５および５７に懸架アーム２１の先端部を順次通し、ロール製品３０を固定する。
【００２１】
保護板３２は、スペーサ部材３４が直接にロール製品３０に当たることを防止し、ロール製品３０を保護するためのものである。保護板３２は、たとえば厚みが１〜１０ｍｍ程度の円盤で構成してあり、懸架アーム２０を挿通するための貫通孔３３を有し、たとえば樹脂コーティング布、紙、発泡体などで構成してある。
【００２２】
スペーサ部材３４は、雄ねじ４４が形成してある第１部材４０と、雄ねじ４４にネジ結合する雌ネジ４６が形成してある第２部材４２とを有し、これら第１部材４０と第２部材４２との軸方向ネジ結合量を調整することで、スペーサ部材３４の軸方向長さの調整が可能になっている。スペーサ部材３４による軸方向長さの調節可能範囲は、特に限定されないが、たとえば１０〜２５ｍｍ程度である。
【００２３】
第１部材４０には、フランジ４８が形成してあり、フランジ４８には、ボルト孔４９が形成してある。このフランジ４８のボルト孔４９の内周側であって貫通孔５３の外周位置に、スプリング部材３８が当接するようになっている。スプリング部材３８は、本実施形態では、リング状の波形スプリングである。
【００２４】
なお、スペーサ部材３４の貫通孔５３に懸架アーム２０の先端部を挿入する際には、第１部材４０の雄ネジ４４に対して、第２部材４２の雌ネジ４６が最大限に軽くねじ込んであり、スペーサ部材３４の軸方向長さは最小限にしてある。
【００２５】
ストッパ部材３６は、フランジ５０と円筒状胴体６０とを有し、フランジ５０には、ボルト孔５１が形成してある。これらのボルト孔５１は、スペーサ部材３４のフランジ４８に形成してあるボルト孔４９に対応した位置に形成してある。これらボルト孔４９および５１に、それぞれボルトを通し、ナットで締め付けることにより、フランジ４８とフランジ５０とを連結する。フランジ４８とフランジ５０との間には、スプリング部材３８が介在される。なお、フランジ４９および５０の各ボルト孔には、必ずしもボルトおよびナットを装着する必要はなく、フランジ４８および５０は必ずしも連結しなくても良い。フランジ４８および５０をきつく連結しない方が、スプリング部材３８によるバネ力が大きく作用する。
【００２６】
ストッパ部材３６の胴体６０には、胴体６０の軸芯を略直角に横切るように、回動軸５２が回動自在に装着してある。回動軸５２の上端は、胴体６０に形成してある取付孔から外部に飛び出ており、その先端には、レバー５４が形成してある。レバー５４を操作することで、回動軸５２は、その軸芯周りに回転可能になっている。回動軸５２の下端には、回動軸５２の軸芯に対して略直角なストッパーピン５６が固定してあり、レバー５４を回動操作することで、回動軸５２が回転し、ストッパーピン５６が自転するようになっている。また、ストッパーピン５６は、操作レバー５４を下方に押すことで、胴体６０に形成してある側孔５８から下方に飛び出し、懸架アーム２０の軸方向に形成してある複数の係合孔２６のうちの一つに挿入可能になっている。
【００２７】
回動軸５２には、図示省略してある螺旋状スプリングが装着してあることが好ましく、そのスプリング力により、回動軸５２を上方に押し上げ、レバー５４を胴体６０の外周から最大限に飛び出させるようにしてある。その状態では、ストッパーピン５６は、胴体６０の内部に位置し、ストッパ部材３６の貫通孔５７内に懸架アーム２０の先端部を差し込む時に、ストッパーピン５６が懸架アーム２０に干渉しないようになっている。
【００２８】
ストッパ部材３６の貫通孔５７内に懸架アーム２０の先端部を差し込んだ後、レバー５４を操作して、回動軸５２をスプリングのバネ力に抗して押し下げれば、ストッパーピン５６は、側孔５８を通して、懸架アーム２０の内部に取り付けた係合孔板２５の係合孔２６内に差し込まれる。いずれの係合孔２６に対して、ストッパ部材３６の回転軸５２を差し込むかは、懸架アーム２０に吊り下げ保持されるローラ製品３０の各厚みと数により決定される。
【００２９】
レバー５４を操作して回転軸５２を、係合孔２６内に差し込んだ後、レバー５４を約９０度程度回動させれば、ストッパーピン５６も約９０度程度の角度で自転し、ストッパーピン５６は、細長い係合孔２６から抜けなくなる。その結果、ストッパ部材３６は、懸架アーム２０の任意の位置で、係合孔２６に対応する軸方向所定位置に固定される。
【００３０】
その後、スペーサ部材３４における第１部材４０と第２部材４２とのネジ結合量を調節することで、スペーサ部材３４の軸方向長さを長くし、保護板３２とストッパ部材３６との間の軸方向距離を最大限に引き離す。その結果、複数のロール製品３０は、懸架アーム２０に沿って、支持パネル６の内壁面側に軸方向に安定して常時押圧され、コンテナ２が振動しても懸架アーム２０に沿ってがたつくことがなくなる。したがって、ロール製品３０が磁気テープ、オーディオテープなどのパンケーキ状製品などであっても、コンテナの輸送中に、ロール製品３０を構成するテープに弛みなどが生じることはなく、それらの製品価値が低下することはない。
【００３１】
また、本実施形態に係るコンテナ２では、スプリング部材３８をスペーサ部材３４とストッパ部材３６との間に介在させてある。このため、仮に、コンテナ２に微小振動が加わったとしても、スプリング部材３８のバネ力により、ロール製品３０を支持パネル６側に押圧し続ける。この点でも、ロール製品３０を構成するテープに弛みなどが生じることはなく、それらの製品価値が低下することはない。
【００３２】
なお、本発明は、上述した実施形態に限定されるものではなく、本発明の範囲内で種々に改変することができる。
【００３３】
たとえば、スペーサ部材３４としては、その軸方向長さを自由に変化させることができるものであれば良く、必ずしも図面に示す実施形態に限定されない。また、ストッパ部材３６としても、懸架アーム２０の先端部に着脱自在に固定できるものであれば良く、必ずしも図面に示す実施形態に限定されない。
【００３４】
【発明の効果】
以上説明してきたように、本発明に係るコンテナによれば、コンテナ内の懸架アームに保持される内容物は、ストッパ部材およびスペーサ部材により、懸架アームに沿って、コンテナ本体の支持パネルの内壁面側に軸方向に押され、コンテナが振動しても懸架アームに沿ってがたつくことがなくなる。したがって、内容物がパンケーキ状ロール製品などであっても、コンテナの輸送中に、ロール製品を構成するテープに弛みなどが生じることはなく、それらの製品価値が低下することもなくなる。
【図面の簡単な説明】
【図１】  図１は本発明の１実施形態に係るコンテナの概略分解斜視図である。
【図２】  図２は図１に示すコンテナの懸架アームの使用状態を示す分解斜視図である。
【符号の説明】
２…  コンテナ
４…  コンテナ本体
６…  支持パネル
８…  側方パネル
１０…  上パネル
１２…  底パネル
１４…  収容空間
１６…  開口部
２０…  懸架アーム
２２…  切り欠き
２５…  係合孔板
２６…  係合孔
３０…  ロール製品（貫通孔を持つ内容物）
３１，３３，５３，５５，５７…  貫通孔
３２…  保護板
３４…  スペーサ部材
３６…  ストッパ部材
３８…  スプリング部材
４０…  第１部材
４２…  第２部材
４４…  雄ネジ
４６…  雌ネジ
５２…  回動軸
５６…  ストッパーピン
【図１】
0003935616.tif 000002
【図２】
0003935616.tif 000003